(57)【要約】      （修正有）【課題】飲料の抽出調製が簡便に行なえ、使い捨てが可能な飲料抽出用濾し器、特にコーヒードリップ用として好適な濾し器を提供する。【解決手段】底面４に複数の透孔部５を有する抽出原料収容部２と、環状段差部を介して形成される口径の大なる注湯部３が、不織布を素材として一体成形されたものであって、抽出原料収容部２の底面４の非開口部に接着された底面とほぼ同形の不織布からなるフィルター１０と、周縁部が環状段差部に接着された不織布からなるフィルター１１の間に抽出原料１２を収納して濾し器を構成する。【選択図】図３
0003106287.tif 000002
【実用新案登録請求の範囲】
【請求項１】
底面に透孔部を有する抽出原料収容部と、環状段差部を介して形成される口径の大なる注湯部とを、不織布を素材として一体成形されたものであって、
前記抽出原料収容部の底面の、非透孔部に接着された底面とほぼ同形のフィルターと、周縁部が環状段差部に接着されたフィルターの間に、抽出原料が収容されていること
を特徴とする飲料抽出用濾し器。
【請求項２】
前記不織布は、
熱可塑性ポリエステルであること
を特徴とする請求項１に記載の飲料抽出用濾し器。
【請求項３】
前記熱可塑性ポリエステルが、
ポリエチレンテレフタレートであること
を特徴とする請求項２に記載の飲料抽出用濾し器。
【請求項４】
抽出原料収容部と注湯部を形成する不織布が、
その片面に、合成樹脂の薄層が形成されているものであること
を特徴とする請求項１に記載の飲料抽出用濾し器。
【請求項５】
前記不織布が、
熱可塑性ポリエステルを材質とし、合成樹脂の薄層が熱可塑性樹脂の薄層であること
を特徴とする請求項４に記載の飲料抽出用濾し器。
【請求項６】
前記熱可塑性ポリエステルが、
ポリエチレンテレフタレートであって、熱可塑性樹脂がポリプロピレンであること
を特徴とする請求項５に記載の飲料抽出用濾し器。
【請求項７】
前記注湯部が、
その開口縁の外側に逆Ｕ字状の折曲げ部が形成され、当該折曲げ部の先端を外側に水平に折り返してフランジが形成されていること
を特徴とする請求項１に記載の飲料抽出用濾し器。
【請求項８】
前記環状段差部は、
幅方向に所要間隔ごとにリブが形成されるとともに、当該環状段差部と注湯部との連設部に、注湯部内に膨出する複数の凸状突起が等間隔で一体的に形成されていること
を特徴とする請求項１に記載の飲料抽出用濾し器。
【請求項９】
前記抽出原料が、
焙煎コーヒー粉末であること
を特徴とする請求項１〜８のいずれかに記載の飲料抽出用濾し器。
【考案の詳細な説明】
【技術分野】
【０００１】
この考案は、飲料の抽出調製が簡便に行うことができ、使い捨てが可能な飲料抽出用濾し器、特にコーヒードリップ用として好適な濾し器に関するもので、嗜好品調製技術に属するものである。
【背景技術】
【０００２】
紅茶、緑茶などの嗜好品、特にコーヒーを、格別な専用器具などを使わずに、また屋外などで簡便に楽しむために、濾紙などで形成された袋に原料の茶葉などを封入したものを容器に入れて、注いだ湯による茶葉等からの抽出により飲料を得る、いわゆるティーパックタイプのもの、あるいは底面に透孔部を有するカップ状の容器に、焙煎コーヒー粉末の封入された濾紙などで形成された袋を、透孔部を塞いだ状態で配置し、カップに注がれた湯で粉末等を濾してコーヒーなどの飲料を得る、いわゆる、ドリップタイプのものが知られている。
【０００３】
これらの製品は、いずれのタイプも使い捨てのものであるため、使用後の廃棄に際し、公害を生じないものであることはもちろん、後処理の容易性、すなわち廃棄物処理の容易性について、充分に検討されなければならないものであるため、これまでも、その点に関して、種々の提案がなされている。
【０００４】
例えば、特開２００３−２３５７３３号公報（特許文献１）においては、ポリプロピレン、ポリエステル等の熱可塑性合成樹脂シートに、ポリアミド系、ポリアクリロニトリル系などの熱可塑性合成樹脂からなる長繊維スパンボンド不織布をラミネートし、熱プレス成形でカートリッジ形状に成形することが提案されている。
【０００５】
また、実用新案登録第３０９３９０３号公報（特許文献２）においては、紙製カップの底板を、加熱熔融性プラスチック被膜を強固に被着した複合紙（ポリラミ紙）とし、濾紙などの濾過部材を加熱接着して飲料抽出容器とすることが提案されている。
【特許文献１】特開２００３−２３５７３３号公報（段落０００９、００２０）
【特許文献２】実用新案登録第３０９３９０３号公報（段落０００７、０００８）
【考案の開示】
【考案が解決しようとする課題】
【０００６】
上記提案による、濾し器は、熱可塑性合成樹脂のみを素材としている点、あるいは紙を主たる材質にしていることにより、廃棄物処理について、一歩進んだ提案であるが、発熱量の多い合成樹脂シートを使用している点、紙とプラスチックという異質の材料を組み合せた複合紙を使用している点、さらには、成形も必ずしも単純でないといった点で、さらなる改良が望まれるものである。
【０００７】
考案者は、後処理が容易、すなわち、使用後における廃棄物処理において、問題を発生させることのより少ない、また、製造も容易な濾し器、特にコーヒードリップ用濾し器を提供すべく検討を行ったのである。
【課題を解決するための手段】
【０００８】
考案者は、上記課題を解決するために、種々検討を行い、濾し器の材料として不織布を主体とし、容器部と濾過部に用いられ不織布の材質を同一にすること、また、材料の全てを熱可塑性樹脂にすることによって、廃棄物処理がさらに容易になる濾し器が得られることを見出してこの考案を完成したのである。
【０００９】
すなわち、この考案の請求項１に記載の考案は、
底面に透孔部を有する抽出原料収容部と、環状段差部を介して形成される口径の大なる注湯部とを、不織布を素材として一体成形されたものであって、
前記抽出原料収容部の底面の、非透孔部に接着された底面とほぼ同形のフィルターと、周縁部が環状段差部に接着されたフィルターの間に、抽出原料が収容されていること
を特徴とする飲料抽出用濾し器である。
【００１０】
また、この考案の請求項２に記載の考案は、
請求項１に記載の飲料抽出用濾し器において、
前記不織布は、
熱可塑性ポリエステルであること
を特徴とするものである。
【００１１】
また、この考案の請求項３に記載の考案は、
請求項２に記載の飲料抽出用濾し器において、
前記熱可塑性ポリエステルが、
ポリエチレンテレフタレートであること
を特徴とするものである。
【００１２】
また、この考案の請求項４に記載の考案は、
請求項１に記載の飲料抽出用濾し器において、
抽出原料収容部と注湯部を形成する不織布が、
その片面に、合成樹脂の薄層が形成されているものであること
を特徴とするものである。
【００１３】
また、この考案の請求項５に記載の考案は、
請求項４に記載の飲料抽出用濾し器において、
前記不織布が、
熱可塑性ポリエステルを材質とし、合成樹脂の薄層が熱可塑性樹脂の薄層であること
を特徴とするものである。
【００１４】
また、この考案の請求項６に記載の考案は、
請求項５に記載の飲料抽出用濾し器において、
前記熱可塑性ポリエステルが、
ポリエチレンテレフタレートであって、熱可塑性樹脂がポリプロピレンであること
を特徴とするものである。
【００１５】
また、この考案の請求項７に記載の考案は、
請求項１に記載の飲料抽出用濾し器において、
前記注湯部が、
その開口縁の外側に逆Ｕ字状の折曲げ部が形成され、当該折曲げ部の先端を外側に水平に折り返してフランジが形成されていること
を特徴とするものである。
【００１６】
また、この考案の請求項８に記載の考案は、
請求項１に記載の飲料抽出用濾し器において、
前記環状段差部は、
幅方向に所要間隔ごとにリブが形成されるとともに、当該環状段差部と注湯部との連設部に、注湯部内に膨出する複数の凸状突起が等間隔で一体的に形成されていること
を特徴とするものである。
【００１７】
また、この考案の請求項９に記載の考案は、
請求項１〜８のいずれかに記載の飲料抽出用濾し器であって、
抽出原料が、焙煎コーヒー粉末であること
を特徴とするものである。
【考案の効果】
【００１８】
この考案の飲料抽出用濾し器は、主たる材料が不織布であることから、廃棄物処理の主たる手段である焼却処理において、発熱量が大きくなく、焼却炉を傷めるという、プラスチック処理に於ける問題点を回避できるもので、また不織布を熱可塑性樹脂とし、副資材も熱可塑性樹脂とすることにより、使用済みの濾し器の熔融処理により、廃棄処理が容易にするという優れた効果をも奏するものである。
【００１９】
また、この考案の飲料抽出用濾し器は、濾し器を構成する抽出原料収容部と注湯部が、同一の素材、すなわち不織布からなるため、特に、その素材が熱可塑性樹脂であることにより、さらにその成形が容易で、また、抽出原料、すなわち、焙煎コーヒー粉末などを保持すると共に、濾過機能を有する不織布も、濾し器と同一の材質を用いることによって、製品としての濾し器の調製がより容易になるという効果も奏されるのである。
【００２０】
また、この考案の濾し器は、お湯さえ用意できれば、格別な専用器具などを使わずに、屋外などでも、コーヒーなどを簡単に楽しむことを可能とするものである。
【考案を実施するための最良の形態】
【００２１】
以下、この考案にかかる飲料抽出用濾し器を、添付の図面に基づいて具体的に説明するに、図１は、この考案の飲料抽出濾し器を構成する容器本体の断面図、図２は、その平面図、図３は、抽出原料が収納されている容器本体の断面図である。
【００２２】
この考案の飲料抽出濾し器を構成する容器本体１は、抽出原料収容部２と注湯部３から構成され、シート状の不織布から、プレス成形、真空成形などで一体的に成形されるものである。不織布としては、成形性の面から熱可塑性樹脂、好ましくは熱可塑性ポリエステル、特には、ポリエチレンテレフタレート（以下、ＰＥＴという。）を材質とするものが好ましい。
【００２３】
容器本体１を構成する不織布には、その機能面として耐水性が要求され、また、後記する、抽出原料を保持すると共に、濾過機能を有する不織布との接着性が要求されるため、その表面に合成樹脂の薄層が形成されたものが用いられる。
【００２４】
合成樹脂の薄層としては、不織布と同一の材質のものを用いるのが最適であるが、すなわち、不織布が熱可塑性ポリエステルである場合は、合成樹脂の薄層の材質も熱可塑性ポリエステルであるのが最適であるが、接着性能に問題がある場合には、接着性能に優れたポリプロピレン、ポリエチレンなどのポリオレフィン系樹脂が使用される。例えば、そのような不織布の例として、ＰＥＴを不織布の材質として用いた例を示すと、目付量１５０ｇ／ｍ２のＰＥＴ製不織布に厚さ１００μｍのポリプロピレンフィルムをホットラミネート（接着剤層：厚さ３０μｍのポリプロピレン）したものが挙げられる。
【００２５】
この容器本体１の構造は、図１および図２で明らかなように、抽出原料収容部２の底面４には、複数の透孔部５が設けられ、小径の抽出原料収容部２と大径の注湯部３の境界部には、環状段差部６が設けられている。
【００２６】
この環状段差部６は、抽出原料収容部２と注湯部３とを区画する不織布などからなるフィルター１１の貼着部となるもので、幅方向には所要の間隔を存して補強用のリブ７，７が一体的に形成されるとともに、この環状段差部６と注湯部３の周壁との連設部には、注湯部３内に膨出する複数の凸状突起８が等間隔で一体的に形成されている。
【００２７】
この凸状突起８は、容器本体１が成形されたのち、上下方向において積層するとき、互いの凸状突起８の位置をズラして積層することによって、積層した容器本体１，１の開口縁間に若干の隙間を形成させ、機械による自動分離を容易にするものである。
【００２８】
また、容器本体１の注湯部３の開口縁部は、逆Ｕ字状に外側に折り返し、その先端部を水平方向に延出させてフランジ９を成形することによって、積み重ねられた容器本体１，１・・・の切り離しがスムーズに、また容易に行える。
なお、前記複数の透孔部５は成形と同時に、または成形とは別に、成形の前後に打ち抜くことによって形成される。
【００２９】
かかる形状を有する容器本体１は、図３に示すように、抽出原料収容部２の底面４の各透孔部５を塞ぐように、底面４とほぼ同形の不織布で、濾過機能を有するフィルター１０を取付け、このフィルター１０上にコーヒーなどの抽出原料１２を所要量充填したのち、同様に不織布からなるフィルター１１を、その周縁部が環状段差部６に接着固定し、抽出原料１３を前記フィルター１０，１１間に密封保持させて濾し器とするものである。
【００３０】
なお、前記フィルター１０，１１を構成する不織布は、濾し器の容器本体１を構成する不織布と同一の材質のものが好ましく、例えば、上記したように、熱可塑性樹脂、好ましくは熱可塑性ポリエステル、特には、ＰＥＴを材質とするものが好ましい。
【００３１】
かくして得られたコーヒー等の抽出原料１２が充填されて濾し器は、底部の抽出原料収容部２をカップ上に載置したのち、所要量のお湯を注湯部３内に注ぎ込むと、フィルター１１を通してお湯が抽出原料１２に供給され、抽出されたコーヒーと共にフィルター１０を通ってカップ内に供給されるものである。
【図面の簡単な説明】
【００３２】
【図１】この考案にかかる飲料抽出用濾し器の容器本体の断面図である。
【図２】同平面図である。
【図３】図におけるA−A線に沿った断面図である。
【符号の説明】
【００３３】
１        濾し器の容器本体
２        抽出原料収容部
３        注湯部
４        底面
５        透孔部
６        環状段差部
７        リブ
８        凸状突起
９        フランジ
１０，１１  フィルター
１２        抽出原料
【図１】
0003106287.tif 000003
【図２】
0003106287.tif 000004
【図３】
0003106287.tif 000005